(57)【特許請求の範囲】
【請求項１】
ネットワークを通じるコンテンツを受信される方法において、
所定のコンテンツを提供装置から提供されるステップと、
前記コンテンツのメタデータから原本コンテンツの位置情報を抽出するステップと、
前記抽出された原本コンテンツの位置情報を利用して前記原本コンテンツを、前記ネットワークを通じて連結された所定の保存装置から受信されるステップと、を含み、
前記所定のコンテンツは、前記所定のコンテンツを受信する装置の状態情報及びユーザによって実時間で設定されたユーザ設定情報に基づき前記コンテンツの提供装置で前記原本コンテンツが変更されて生成され、
前記メタデータは、変更されたコンテンツが相異なる装置の間に伝送された場合、その伝送ヒストリー内訳に関する情報を意味するデバイスメタデータと、前記原本コンテンツの位置情報の解読のための暗号化キー情報を意味する原本接近権限情報とを含む
ことを特徴とするコンテンツ受信方法。
【請求項２】
前記位置情報は、
前記保存装置のＵＲＬ情報を含む
ことを特徴とする請求項１に記載のコンテンツ受信方法。
【請求項３】
前記所定のコンテンツを提供されるデバイスの保存空間及び／または解像度情報を、前記所定のコンテンツを提供するデバイスに提供するステップをさらに含み、
前記所定のコンテンツは、前記所定のコンテンツを提供されるデバイスの保存空間及び／または解像度に基づいて、前記所定のコンテンツを提供するデバイスで前記原本コンテンツをリサイジングして生成されたものである
ことを特徴とする請求項１に記載のコンテンツ受信方法。
【請求項４】
前記メタデータは、
前記原本コンテンツへの接近権限に対する原本接近権限情報をさらに含む
ことを特徴とする請求項１に記載のコンテンツ受信方法。
【請求項５】
ネットワークを通じるコンテンツを受信される装置において、
所定のコンテンツをコンテンツ提供装置から提供されるコンテンツ受信部と、
前記コンテンツのメタデータから原本コンテンツの位置情報を抽出する付加情報抽出部と、を備え、
前記コンテンツ受信部は、
前記抽出された原本コンテンツの位置情報を利用して、前記原本コンテンツを、前記ネットワークを通じて連結された所定の保存装置から受信し、
前記所定のコンテンツは、前記所定のコンテンツを受信する装置の状態情報及びユーザによって実時間で設定されたユーザ設定情報に基づき前記コンテンツ提供装置で前記原本コンテンツが変更されて生成され、
前記メタデータは、変更されたコンテンツが相異なる装置の間に伝送された場合、その伝送ヒストリー内訳に関する情報を意味する装置メタデータと、前記原本コンテンツの位置情報の解読のための暗号化キー情報を意味する原本接近権限情報とを含む
ことを特徴とするコンテンツ受信装置。
【請求項６】
前記位置情報は、
前記保存装置のＵＲＬ情報を含む
ことを特徴とする請求項５に記載のコンテンツ受信装置。
【請求項７】
前記装置の保存空間及び／または解像度情報を、前記所定のコンテンツを提供するデバイスに提供するデバイス情報提供部をさらに備え、
前記所定のコンテンツは、前記装置の保存空間及び／または解像度に基づいて、前記所定のコンテンツを提供するデバイスで前記原本コンテンツをリサイジングして生成される
ことを特徴とする請求項５に記載のコンテンツ受信装置。
【請求項８】
ネットワークを通じるコンテンツ提供方法において、
コンテンツを伝送しようとするデバイスの状態情報及びユーザによって実時間で設定されたユーザ設定情報を獲得するステップと、
前記デバイスの状態情報及び前記ユーザ設定情報を利用して、前記デバイスに提供されるコンテンツの属性を変更するステップと、
前記変更されたコンテンツを前記デバイスに提供するステップと、を含み、
メタデータは、変更されたコンテンツが相異なる装置の間に伝送された場合、その伝送ヒストリー内訳に関する情報を意味する装置メタデータと、原本コンテンツ位置情報の解読のための暗号化キー情報を意味する原本接近権限情報とを含む
ことを特徴とするコンテンツ提供方法。
【請求項９】
前記デバイスの状態情報は、前記デバイスで利用可能な解像度、残余容量、支援ファイルフォーマットのうち少なくとも一つを含む
ことを特徴とする請求項８に記載のコンテンツ提供方法。
【請求項１０】
ネットワークを通じるコンテンツ提供装置において、
所定のコンテンツを保存するコンテンツ保存部と、
前記コンテンツを伝送しようとするデバイスの状態情報と前記コンテンツが受信される時、ユーザによって実時間で設定されたユーザ設定情報を受信する通信部と、
前記受信されたデバイスの状態情報を保存するデバイス情報保存部と、
前記デバイスの状態情報及び前記ユーザ設定情報を利用して、前記デバイスに提供されるコンテンツの属性を変更するコンテンツ変更部と、を備え、
メタデータは、変更されたコンテンツが相異なる装置の間に伝送された場合、その伝送ヒストリー内訳に関する情報を意味する装置メタデータと、原本コンテンツ位置情報の解読のための暗号化キー情報を意味する原本接近権限情報とを含む
ことを特徴とするコンテンツ提供装置。
【請求項１１】
ネットワークを通じるコンテンツ受信方法において、
所定のコンテンツ提供装置から提供されるコンテンツのうち、受信しようとするコンテンツを選択するステップと、
前記コンテンツを受信するデバイスの状態情報と前記コンテンツが受信される時、ユーザによって実時間で設定されたユーザ設定情報を前記コンテンツ提供装置に伝送するステップと、
前記デバイスの状態情報及び前記ユーザ設定情報によって属性が変更されたコンテンツを受信するステップと、
を含み、
メタデータは、変更されたコンテンツが相異なる装置の間に伝送された場合、その伝送ヒストリー内訳に関する情報を意味する装置メタデータと、原本コンテンツ位置情報の解読のための暗号化キー情報を意味する原本接近権限情報とを含む
ことを特徴とするコンテンツ受信方法。
【請求項１２】
ネットワークを通じるコンテンツ受信装置において、
所定のコンテンツ提供装置から提供されるコンテンツのうち、受信しようとするコンテンツを選択するユーザーインターフェースと、
前記コンテンツを受信するデバイスの状態情報と前記コンテンツが受信される時、ユーザによって実時間で設定されたユーザ設定情報を前記コンテンツ提供装置に伝送し、前記デバイスの状態情報及び前記ユーザ設定情報によって属性が変更されたコンテンツを受信する通信部と、を備え、
メタデータは、変更されたコンテンツが相異なる装置の間に伝送された場合、その伝送ヒストリー内訳に関する情報を意味する装置メタデータと、原本コンテンツ位置情報の解読のための暗号化キー情報を意味する原本接近権限情報とを含む
ことを特徴とするコンテンツ受信装置。
【請求項１３】
請求項１ないし４のうちいずれか１項に記載の方法を具現するためのプログラムが記録されたコンピュータで読み取り可能な記録媒体。
【請求項１４】
請求項８及び９のうちいずれか１項に記載の方法を具現するためのプログラムが記録されたコンピュータで読み取り可能な記録媒体。
【請求項１５】
請求項１１に記載の方法を具現するためのプログラムが記録されたコンピュータで読み取り可能な記録媒体。
【発明の詳細な説明】
【技術分野】
【０００１】
本発明は、ネットワークを通じるコンテンツ提供方法及び装置とコンテンツ受信方法及び装置に係り、さらに具体的には、ネットワークを通じて提供されるコンテンツの原本データを利用可能にするコンテンツ提供方法及び装置とその受信方法及び装置に関する。
【０００２】
また、本発明はデータのバックアップ方法及び装置に係り、具体的には、ネットワークを通じて連結された複数の保存装置にデータを効率的にバックアップする、ネットワークを通じるデータバックアップ方法及び装置、バックアップデータ提供装置及びバックアップシステムに関する。
【背景技術】
【０００３】
一般的に、コンテンツとは、有無線ネットワークを通じて使われる文字、符号、音声、イメージ及びビデオなどの各種情報またはその内容物を称する。インターネット、デジタルカメラ、携帯電話などの情報通信分野が発達するにつれて、専門家集団ではない一般人も既存のメディアより速くて意味のある情報を生産しつつ、自分が生産したコンテンツをネットワークを通じて他のユーザーと共有するコミュニケーション形態が増加しつつある。
【０００４】
コンテンツは、掲示板形態のウェブページ、ブログ及びウェブジン（ｗｅｂｚｉｎｅ）などの多様な方式を通じてネットワークに連結されたユーザー間に共有できる。一般的に、ウェブ上で提供されるコンテンツは、ウェブページに適した形態にトランスコーディングされるか、またはリサイジングされてネットワークを通じて他のユーザーに提供される。例えば、ユーザーがブログを通じて自分が撮った写真を提供する時、原本写真のサイズ及び容量を縮めた、編集された写真をブログを通じて提供する。
【０００５】
このように従来技術によれば、ネットワークを通じて提供されるコンテンツは原本コンテンツと差が出る場合が発生し、原本コンテンツを利用しようとするユーザーは原本コンテンツを簡単に利用できないという不便さがある。
【０００６】
また、最近にはＰＤＡ（Ｐｅｒｓｏｎａｌ Ｄｉｇｉｔａｌ Ａｓｓｉｓｔａｎｔ）、スマートフォン、ＰＭＰ（Ｐｏｒｔａｂｌｅ Ｍｕｌｔｉｍｅｄｉａ Ｐｌａｙｅｒ）、ネットブックなどの多様なコンテンツ受信装置が存在する。これらのコンテンツ受信装置は、解像度や利用可能なコーデックなど性能上差があるので、多様なコンテンツ受信装置へのコンテンツの提供時に各デバイスの性能を考慮する必要がある。
【０００７】
また、最近にはハードウェア性能の向上及び高品質のデータが増加する勢いによって、カメラ、カムコーダ、パソコン、ネットブック、スマートフォン、ＰＶＲ（Ｐｅｒｓｏｎａｌ Ｖｉｄｅｏ Ｒｅｃｏｄｅｒ）などの各種デバイスで処理されるデータのサイズが増大した。メモリ技術の発展につれて各種デバイスの保存容量は増大したが、高品質の静止映像、動画データやオーディオデータもデータのサイズが非常に大きいため、デバイスに保存されうるデータ量には限界がある。特許文献１には、効率的な統計的多重化のためのマルチメディアリサイジング技術について開示している。
【先行技術文献】
【特許文献】
【０００８】
【特許文献１】米国特開第２００７−０２７４３４０号明細書
【発明の概要】
【発明が解決しようとする課題】
【０００９】
本発明が解決しようとする技術的課題は、コンテンツに対する原本コンテンツの位置情報を提供することによって原本コンテンツに対する接近便宜性を向上させる、ネットワークを通じるコンテンツ提供方法及び装置、その受信方法及び装置を提供することである。
【００１０】
また本発明が解決しようとする技術的課題は、コンテンツ受信装置のデバイス性能に好適にコンテンツを変更し、変更されたコンテンツを提供する方法及び装置を提供することである。
【００１１】
また、本発明が解決しようとする技術的課題は、所定のデバイスに保存されたデータを、ネットワークを通じて連結された保存装置にバックアップするデータバックアップ方法及び装置を提供することである。特に、本発明は、データを保存しようとする保存装置が利用不可能な場合、ネットワークを通じて連結された他の保存装置を利用して効率的にデータをバックアップする方法及び装置を提供する。
【課題を解決するための手段】
【００１２】
本発明の一実施形態によるネットワークを通じるコンテンツ提供方法は、原本コンテンツを所定の保存装置に保存するステップと、前記原本コンテンツの属性を変更し、変更されたコンテンツを生成するステップと、前記原本コンテンツが保存された前記保存装置の位置情報を含むメタデータを生成するステップと、前記変更されたコンテンツ及びメタデータを、前記ネットワークを通じて連結されたデバイスに提供するステップと、を含むことを特徴とする。
【００１３】
本発明の一実施形態によるネットワークを通じるコンテンツ受信方法は、所定のコンテンツを提供されるステップと、前記コンテンツのメタデータから原本コンテンツの位置情報を抽出するステップと、前記抽出された原本コンテンツの位置情報を利用して前記原本コンテンツを、前記ネットワークを通じて連結された所定の保存装置から受信されるステップと、を含むことを特徴とする。
【００１４】
本発明の一実施形態によるネットワークを通じるコンテンツ提供装置は、原本コンテンツの属性を変更し、変更されたコンテンツを生成する原本コンテンツ変更部と、前記原本コンテンツが保存された所定の保存装置の位置情報を含むメタデータを生成するメタデータ生成部と、前記変更されたコンテンツ及びメタデータを、前記ネットワークを通じて連結されたデバイスに提供するコンテンツ提供部と、を備えることを特徴とする。
【００１５】
本発明の一実施形態によるネットワークを通じるコンテンツ受信装置は、所定のコンテンツを提供されるコンテンツ受信部と、前記コンテンツのメタデータから原本コンテンツの位置情報を抽出する付加情報抽出部と、を備え、前記コンテンツ受信部は、前記抽出された原本コンテンツの位置情報を利用して、前記原本コンテンツを、前記ネットワークを通じて連結された所定の保存装置から受信されることを特徴とする。
【００１６】
本発明の他の実施形態によるネットワークを通じるコンテンツ提供方法は、コンテンツを伝送しようとするデバイスの状態情報を獲得するステップと、前記デバイスの状態情報を利用して、前記デバイスに提供されるコンテンツの属性を変更するステップと、前記変更されたコンテンツを前記デバイスに提供するステップと、を含むことを特徴とする。
【００１７】
本発明の他の実施形態によるネットワークを通じるコンテンツ提供装置は、所定のコンテンツを保存するコンテンツ保存部と、前記コンテンツを伝送しようとするデバイスの状態情報を受信する通信部と、前記受信されたデバイスの状態情報を保存するデバイス情報保存部と、前記デバイスの状態情報を利用して、前記デバイスに提供されるコンテンツの属性を変更するコンテンツ変更部と、を備えることを特徴とする。
【００１８】
本発明の他の実施形態によるネットワークを通じるコンテンツ受信方法は、所定のコンテンツ提供装置から提供されるコンテンツのうち、受信しようとするコンテンツを選択するステップと、前記コンテンツを受信するデバイスの状態情報を前記コンテンツ提供装置に伝送するステップと、前記デバイスの状態情報によって属性が変更されたコンテンツを受信するステップと、を含むことを特徴とする。
【００１９】
本発明の他の実施形態によるネットワークを通じるコンテンツ受信装置は、所定のコンテンツ提供装置から提供されるコンテンツのうち、受信しようとするコンテンツを選択するユーザーインターフェースと、前記コンテンツを受信するデバイスの状態情報を前記コンテンツ提供装置に伝送し、前記デバイスの状態情報によって属性が変更されたコンテンツを受信する通信部と、を備えることを特徴とする。
【００２０】
本発明の他の実施形態によるネットワークを通じるデータバックアップ方法は、所定のデータ提供装置とネットワークを通じて連結された第１保存装置の利用如何を判断するステップと、前記第１保存装置が利用可能でない場合、前記ネットワークを通じて連結された利用可能な第２保存装置に、前記データ提供装置に保存されたデータを伝送するステップと、前記伝送されたデータを前記第２保存装置に保存するステップと、前記第１保存装置の利用如何を確認して、前記第１保存装置が利用可能になった場合、前記第２保存装置に保存されたデータを前記第１保存装置に伝送して保存するステップと、を含むことを特徴とする。
【００２１】
本発明の一実施形態によるネットワークを通じるデータバックアップシステムは、バックアップしようとするデータを提供するデータ提供装置と、前記データ提供装置とネットワークを通じて連結された複数の保存装置と、前記複数の保存装置のうち、第１保存装置の利用如何を判断して、前記第１保存装置が利用可能でない場合、前記複数の保存装置のうち、中第２保存装置に前記データ提供装置から提供されるデータを保存した後、前記第１保存装置が利用可能になった場合、前記第２保存装置に保存されたデータを前記第１保存装置に伝送して保存されるように制御するバックアップ制御部と、を備えることを特徴とする。
【００２２】
本発明の一実施形態によるデータ提供装置は、ネットワークを通じて連結された複数の保存装置と通信を行う通信部と、バックアップしようとするデータが保存される保存部と、前記複数の保存装置のうち、第１保存装置の利用如何を判断して、前記第１保存装置が利用可能でない場合、前記複数の保存装置のうち、利用可能な第２保存装置に、前記保存部に保存されたデータを前記通信部を通じて伝送するように制御する制御部と、を備えることを特徴とする。
【００２３】
本発明の一実施形態によるデータバックアップ装置は、ネットワークを通じて連結された少なくとも一つの保存装置及びデータ提供装置と通信を行う通信部と、前記通信部を通じて提供されるデータを保存する保存部と、前記保存装置が利用不可能な場合、前記データ提供装置から提供されるデータを受信して前記保存部に保存した後、前記保存装置の利用如何を判断して、前記保存装置が利用可能になった場合、前記通信部を通じて前記保存部に保存されたデータを前記保存装置に再伝送されるように制御する制御部と、を備えることを特徴とする。
【００２４】
本発明の他の実施形態によるデータバックアップ装置は、ネットワークを通じて連結された少なくとも一つの保存装置及びデータ提供装置と通信を行う通信部と、前記通信部を通じて提供されるデータを保存する保存部と、前記保存装置及びデータ提供装置のうち一つから提供されるデータを前記保存部に保存できない場合、前記通信部を通じて前記保存装置及びデータ提供装置に保存不可能を通知するように制御し、前記保存部へのデータ保存が可能になった場合、前記通信部を通じて保存可能を通知し、前記通信部を通じて提供されるデータが前記保存部に保存されるように制御する制御部と、を備えることを特徴とする。
【発明の効果】
【００２５】
本発明の実施形態によれば、ネットワーク上に連結されたいずれか一つの保存装置が利用不可能な場合、他の利用可能な保存装置を利用して効率的にデータをバックアップして保存することができる。
【００２６】
本発明によれば、コンテンツのメタデータを利用して原本コンテンツへの接近便利性を高めることができる。また、本発明によれば、コンテンツ受信デバイスの性能に適したコンテンツを提供することによって、コンテンツの互換性を向上させることができる。
【００２７】
本発明の実施形態によれば、ネットワーク上に連結されたいずれか一つの保存装置が利用不可能な場合、他の利用可能な保存装置を利用して効率的にデータをバックアップして保存することができる。
【図面の簡単な説明】
【００２８】
【図１】本発明の一実施形態による、ネットワークを通じるコンテンツ共有システムを概括的に示した参照図である。
【図２】図１のコンテンツ提供装置の一実施形態を示したブロック図である。
【図３】図２の原本コンテンツ変更部２１１で、原本コンテンツの属性を変更する一過程を説明するための参照図である。
【図４】本発明の一実施形態によるメタデータを示した参照図である。
【図５】本発明の一実施形態によるコンテンツ受信装置の構成を示したブロック図である。
【図６Ａ】本発明の一実施形態によって原本コンテンツの受信過程を説明するための参照図である。
【図６Ｂ】本発明の一実施形態によって原本コンテンツの受信過程を説明するための参照図である。
【図７】本発明の一実施形態によるコンテンツ提供方法を示したフローチャートである。
【図８】本発明の一実施形態によるコンテンツ受信方法を示したフローチャートである。
【図９】本発明の一実施形態によるコンテンツ共有システムで、原本コンテンツが提供される過程を示したフローチャートである。
【図１０】本発明の他の実施形態によるネットワークを通じるコンテンツ共有システムを示したブロック図である。
【図１１】コンテンツ受信装置のデバイス状態情報の一例を示した図面である。
【図１２Ａ】本発明の一実施形態によって、コンテンツ受信装置のデバイス状態情報によってコンテンツを受信する過程を説明するための参照図である。
【図１２Ｂ】本発明の一実施形態によって、コンテンツ受信装置のデバイス状態情報によってコンテンツを受信する過程を説明するための参照図である。
【図１２Ｃ】本発明の一実施形態によって、コンテンツ受信装置のデバイス状態情報によってコンテンツを受信する過程を説明するための参照図である。
【図１２Ｄ】本発明の一実施形態によって、コンテンツ受信装置のデバイス状態情報によってコンテンツを受信する過程を説明するための参照図である。
【図１３】本発明の他の実施形態によるコンテンツ提供方法を示したフローチャートである。
【図１４】本発明の他の実施形態によるコンテンツ受信方法を示したフローチャートである。
【図１５】本発明の一実施形態による、ネットワークを通じるデータバックアップシステムを概括的に示した参照図である。
【図１６】本発明の一実施形態によるデータバックアップシステム２００の構成を示した図面である。
【図１７】本発明の一実施形態によるデータバックアップシステムのネットワークサーバによってデータバックアップが行われる過程を示したフローチャートである。
【図１８】本発明の他の実施形態によるデータバックアップシステムの構成を示した図面である。
【図１９】本発明の他の実施形態によるデータバックアップシステムのデータ提供装置によってデータバックアップが行われる過程を示したフローチャートである。
【図２０】本発明のさらに他の実施形態によるデータバックアップシステムの構成を示した図面である。
【図２１】本発明のさらに他の実施形態によるデータバックアップシステムの保存装置によってデータバックアップが行われる過程を示したフローチャートである。
【図２２】本発明の他の実施形態によるデータ提供装置の構成を示したブロック図である。
【発明を実施するための形態】
【００２９】
以下、添付した図面を参照して本発明の望ましい実施形態について具体的に説明する。
【００３０】
図１は、本発明の一実施形態によるネットワークを通じるコンテンツ共有システムを概括的に示した参照図である。
【００３１】
図１を参照すれば、本発明の一実施形態によるコンテンツ共有システム１００は、所定のネットワーク１４０を通じて互いに連結されたコンテンツ提供装置１１０、保存装置１２０及びコンテンツ受信装置１３０を備える。
【００３２】
コンテンツ提供装置１１０及びコンテンツ受信装置１３０は、有無線形態の多様なネットワーク１４０を支援するＰＭＰ（Ｐｏｒｔａｂｌｅ Ｍｕｌｔｉｍｅｄｉａ Ｐｌａｙｅｒ）、ＵＭパソコン（Ｕｌｔｒａ Ｍｏｂｉｌｅ Ｐｅｒｓｏｎａｌ Ｃｏｍｐｕｔｅｒ）、ノート型パソコン、携帯電話、デジタルカメラ及びパソコンなどの多様なデバイスになりうる。また、コンテンツ提供装置１１０、保存装置１２０及びコンテンツ受信装置１３０は、ホーム−ゲートウェイまたはホームサーバなどの制御装置に連結されたホームネットワークシステムを構成するクライアントデバイスのうち一つでありうる。例えば、コンテンツ提供装置１１０、保存装置１２０及びコンテンツ受信装置１３０は、家庭内の情報家電機器を制御するための標準案であるＤＬＮＡ（Ｄｉｇｉｔａｌ Ｌｉｖｉｎｇ Ｎｅｔｗｏｒｋ Ａｌｌｉａｎｃｅ）によるネットワーク１４０を通じて互いに連結されて、コンテンツを共有するデバイスでありうる。
【００３３】
また、ネットワーク１４０は、近距離ネットワーク、長距離ネットワークをいずれも含み、ブルートゥース、ワイファイ（Ｗｉ−Ｆｉ）、ワイブロ（ＷｉＢｒｏ）及びＵＷＢ（Ｕｌｔｒａ Ｗｉｄｅ Ｂａｎｄ）などの無線インターネット方式及びＩＥＥＥ １３９４、イーサネット（登録商標）などの有線インターネット方式などを含む。
【００３４】
保存装置１２０は、原本コンテンツが保存されるネットワーク保存装置であって、一例として、ＮＡＳ（Ｎｅｔｗｏｒｋ Ａｔｔａｃｈｅｄ Ｓｔｏｒａｇｅ）のようにネットワークを通じて接近可能な保存装置である。図１では、原本コンテンツが保存される保存装置１２０をコンテンツ提供装置１１０と別個の装置と図示したが、保存装置１２０は、コンテンツ提供装置１１０の一構成要素として含まれうる。
【００３５】
コンテンツ提供装置１１０は、保存装置１２０に保存された原本コンテンツの属性を変更し、変更されたコンテンツを生成する一方、保存装置１２０の位置情報をメタデータとして生成する。
【００３６】
コンテンツ受信装置１３０は、コンテンツ提供装置１１０を通じて提供される、変更されたコンテンツ及びメタデータ情報から、原本コンテンツが保存された保存装置１２０の位置情報を抽出し、必要に応じて保存装置１２０に接近して原本コンテンツを受信する。
【００３７】
図２は、図１のコンテンツ提供装置の一実施形態を示したブロック図である。
【００３８】
図２を参照すれば、本発明の一実施形態によるコンテンツ提供装置２１０は、原本コンテンツ変更部２１１、メタデータ生成部２１２及びコンテンツ提供部２１３を備える。
【００３９】
原本コンテンツ変更部２１１は、図１に図示されたように、ネットワークを通じて連結された所定の保存装置１２０に保存された原本コンテンツの属性を変更し、変更されたコンテンツを生成する。
【００４０】
一例として、ブログのようなウェブページを通じてコンテンツをアップロードして共有しようとする場合、ウェブページで支援する添付ファイルの容量が制限されるか、またはアップロード時間が長くかかる場合が多い。したがって、原本コンテンツ変更部２１１は、ウェブ上にコンテンツを効率的に提供するために原本コンテンツの容量を低減させる役割を行う。他の例として、高解像度で撮影されたイメージをＰＭＰや携帯電話のように制限された解像度を持つコンテンツ受信装置１３０にコンテンツを提供しようとする場合、原本コンテンツ変更部２１１は、コンテンツ受信装置１３０の保存容量または解像度を考慮して原本イメージをリサイジングして、変更されたイメージを生成する。
【００４１】
図３は、図２の原本コンテンツ変更部２１１で原本コンテンツの属性を変更する過程を説明するための参照図である。
【００４２】
図３を参照すれば、例えば、原本コンテンツに該当する原本イメージ３１０の解像度が２５９２×１９４４とすれば、原本コンテンツ変更部２１１は、原本イメージ３１０をリサイジングして、１９２０×１９８０のイメージ３１１、１０２４×７６８のイメージ３１２、８００×４８０のイメージ３１３及び４００×２４０のイメージ３１４のように変更されたイメージを生成する。特定ウェブページでは、アップロードされるイメージの解像度を制限する場合があるため、コンテンツを提供しようとするウェブページで支援するイメージファイル解像度によって、原本コンテンツ変更部２１１は原本イメージを、図３に例示されたように、好適な解像度に変更し、変更されたイメージを生成する。
【００４３】
また、原本コンテンツ変更部２１１は、ネットワーク１４０を通じて連結されたコンテンツ受信装置１３０の保存容量が足りないか、または原本コンテンツに比べて支援される解像度が低い場合には、原本コンテンツをリサイジングして小容量のコンテンツを生成する。例えば、コンテンツ受信装置１３０が携帯電話であり、携帯電話のディスプレイは最大８００×４８０の解像度を持つという時、原本コンテンツ変更部２１１は、原本イメージをリサイジングして携帯電話のディスプレイに最適化した８００×４８０のイメージに変更できる。
【００４４】
また、原本コンテンツ変更部２１１は、原本コンテンツがビデオであり、原本コンテンツビデオの符号化に利用されたコーデックをコンテンツ受信装置１３０で支援しない場合、原本ビデオに対するトランスコーディングを行って、コンテンツ受信装置１３０で支援するビデオコーデック形態の変更されたビデオを生成できる。
【００４５】
一方、コンテンツ提供装置２１０は、前述したように、コンテンツ受信装置１３０の保存容量や解像度情報などから自動的にコンテンツの属性を変更させてもよく、ユーザーインターフェース（図示せず）を通じてユーザーが原本コンテンツの属性をどのように変更するか選択するようにすることができる。例えば、ユーザーインターフェースを通じて原本イメージの解像度情報及び変更可能な解像度情報を表示し、ユーザーの所望の解像度に原本イメージを変更するように選択できる。
【００４６】
メタデータ生成部２１２は、原本コンテンツが保存された保存装置１２０の位置情報を含むメタデータを生成する。
【００４７】
コンテンツ提供部２１３は、変更されたコンテンツ及びメタデータを、ネットワークを通じて連結されたデバイスに提供する。
【００４８】
図４は、本発明の一実施形態によるメタデータを示した参照図である。
【００４９】
図４を参照すれば、本発明の一実施形態によるメタデータはコンテンツメタデータ、デバイスメタデータ、ユーザーメタデータを含む。
【００５０】
コンテンツメタデータは、コンテンツＩＤ、原本コンテンツ位置情報及び原本接近権限情報を含む。
【００５１】
コンテンツＩＤは、ネットワークを通じて共有される多様なコンテンツを識別するための情報である。原本コンテンツ位置情報は、原本コンテンツが保存された保存装置１２０の位置情報であって、ＵＲＬ（Ｕｎｉｖｅｒｓａｌ Ｒｅｓｏｕｒｃｅ Ｌｏｃａｔｏｒ）形態でありうる。具体的に、原本コンテンツ位置情報は、プロトコル及び原本コンテンツが保存された経路を含み、“ｐｒｏｔｏｃｏｌ：／／原本コンテンツが保存された保存装置の位置”形式で表現できる。例えば、保存装置１２０の位置が“ｈｔｔｐ：／／ｗｗｗ．ｓａｍｓｕｎｇ．ｃｏｍ／ｐｒｉｖａｔｅ＿ｃｏｎｔｅｎｔｓ”の場合、該当ＵＲＬ情報が原本コンテンツ位置情報としてメタデータに追加される。
【００５２】
原本接近権限情報は、原本コンテンツが任意のユーザーにコンテンツが共有されることを防止するためのものであって、例えば、前述した原本コンテンツ位置情報を暗号化し、原本接近権限情報は、かかる暗号化した原本コンテンツ位置情報の解読のための暗号化キー情報でありうる。
【００５３】
デバイスメタデータは、変更されたコンテンツが相異なるデバイスの間に伝送された場合、その伝送ヒストリー内訳に関する情報を意味する。例えば、変更されたコンテンツが第１デバイス（Ｄｅｖｉｃｅ ＩＤ＝１）から第２デバイス（Ｄｅｖｉｃｅ ＩＤ＝２）を経て第３デバイス（Ｄｅｖｉｃｅ ＩＤ＝３）に伝送された場合、第３デバイスに保存された変更されたコンテンツのデバイスメタデータは、コンテンツの移動経路を表す第１デバイス及び第２デバイスのＩＤ情報を含むことができる。このように、デバイスメタデータを通じてコンテンツ伝送経路及び不法コンテンツのフローを追跡できる。
【００５４】
ユーザーメタデータは、編集ヒストリー及びアカウント情報を含む。編集ヒストリーは、変更されたコンテンツの編集事項についての情報を含む。例えば、リサイジングされたイメージコンテンツの場合、編集ヒストリーメタデータには、原本イメージのサイズ情報及び原本イメージから変更された事項に関する情報が含まれ、トランスコーディングされたビデオコンテンツの場合、編集ヒストリーメタデータには原本ビデオのコーデック情報などが含まれうる。アカウント情報は、コンテンツを提供するユーザーの識別情報を示す。例えば、特定ウェブ掲示板に提供されたコンテンツの場合ならば、アカウント情報は、ウェブ掲示板に該当コンテンツをアップロードしたユーザーのＩＤ情報でありうる。
【００５５】
このように、本発明の一実施形態によるコンテンツ提供装置２１０は、変更されたコンテンツの原本コンテンツに関する位置情報をメタデータに含めることによって、ネットワークを通じて変更されたコンテンツを共有する他のデバイスで、メタデータの位置情報を利用して原本コンテンツへの接近を容易にすることができる。
【００５６】
図５は、本発明の一実施形態によるコンテンツ受信装置の構成を示したブロック図である。
【００５７】
図５を参照すれば、本発明の一実施形態によるコンテンツ受信装置５００は、コンテンツ受信部５１０、付加情報抽出部５２０、入力部５３０及び制御部５４０を備える。
【００５８】
コンテンツ受信部５１０は、ネットワークに接続された他のデバイスとのデータ通信を行う通信モジュールであって、ネットワークを通じて共有されるコンテンツを受信する。
【００５９】
付加情報抽出部５２０は、受信されたコンテンツのメタデータから、前述した図４に図示されたような、受信されたコンテンツの付加情報を抽出する。特に、本発明の一実施形態によれば、付加情報抽出部５２０は、受信されたコンテンツのメタデータから原本コンテンツの位置情報を抽出し、ユーザーは、必要に応じて入力部５３０を通じて原本コンテンツの受信如何を選択して、原本コンテンツの受信を可能にする。制御部５４０は、コンテンツ受信装置５００の各構成要素の動作を制御する。
【００６０】
図６Ａ及び図６Ｂは、本発明の一実施形態によって原本コンテンツの受信過程を説明するための参照図である。図６Ａ及び図６Ｂでは、コンテンツ受信装置として、ネットワーク連結を支援する携帯電話６００である場合を図示している。
【００６１】
図６Ａを参照すれば、ネットワーク連結を支援する携帯電話６００で、Ｗｉ−Ｆｉなどのネットワーク網を通じてコンテンツを提供する所定のウェブページに連結すれば、携帯電話６００のディスプレイ部６１０にコンテンツリスト６２１ないし６２４が表示される。図６Ｂを参照すれば、ユーザーが、所定の入力部６３０またはタッチ認識を支援する携帯電話６００の場合、所望のコンテンツ領域のタッチを通じてコンテンツリスト６２１ないし６２４のうち一つのコンテンツを選択すれば、ディスプレイ部６１０を通じてユーザーに原本コンテンツの受信如何を問い合わせる情報６２５が表示され、ユーザーは、選択インターフェース６２６、６２７を通じて原本コンテンツの受信如何を選択する。
【００６２】
ユーザーが原本コンテンツを受信すると選択した場合には、付加情報抽出部５２０から抽出された原本コンテンツの位置情報を利用して、コンテンツ受信部５１０は、原本コンテンツが保存された保存装置に原本コンテンツの伝送を要請する。保存装置は、原本コンテンツの伝送を要請した受信装置の原本接近権限如何を判断して、その判断結果によって原本コンテンツの伝送如何を判断する。
【００６３】
原本コンテンツの接近権限を制限する方式では、前述したように、メタデータに保存された原本コンテンツ位置情報を暗号化し、原本接近権限情報として、正当なユーザーだけ解読できる暗号化キーを付与する方式がありうる。他の方式として、原本コンテンツを保存している保存装置側で、原本接近権限のあるユーザーＩＤまたはデバイスＩＤをリスト化して保存した後、原本接近要請時にリストに備えられたユーザーまたはデバイスからの要請であるかどうかによって原本接近要請を受諾して、選択的に原本コンテンツを提供させる。
【００６４】
図７は、本発明の一実施形態によるコンテンツ提供方法を示したフローチャートである。
【００６５】
図７を参照すれば、ステップ７１０で、原本コンテンツが所定の保存装置に保存される。前述したように、保存装置は、ＮＡＳのようにネットワークを通じて接近可能な保存装置であることが望ましい。
【００６６】
ステップ７２０で、コンテンツ提供装置２１０の原本コンテンツ変更部２１１は、原本コンテンツの属性を変更し、変更されたコンテンツを生成する。前述したように、ウェブページ上にコンテンツをアップロードする場合ならば、ウェブページで支援する添付ファイルのサイズを考慮して原本コンテンツの容量を縮める。また、コンテンツ提供装置２１０は、コンテンツ受信装置２２０の保存容量または解像度を考慮して、コンテンツ受信装置２２０で利用可能な形態で原本コンテンツを加工して、変更されたコンテンツを生成する。
【００６７】
ステップ７３０で、メタデータ生成部２１２は、少なくとも原本コンテンツの位置情報を含むメタデータを生成する。位置情報は、原本コンテンツが保存された保存装置のネットワーク上の接近経路を示すものであって、前述したようにＵＲＬ形態でありうる。
【００６８】
ステップ７４０で、コンテンツ提供部２１３を通じて変更されたコンテンツ及びメタデータを、ネットワークを通じて連結された他のデバイスに提供する。
【００６９】
図８は、本発明の一実施形態によるコンテンツ受信方法を示したフローチャートである。
【００７０】
図８を参照すれば、ステップ８１０で、コンテンツ受信部５１０を通じて、ネットワークを通じて連結された他のデバイスから所定のコンテンツを提供される。
【００７１】
ステップ８２０で、付加情報抽出部５２０は、コンテンツのメタデータから原本コンテンツの位置情報を抽出する。
【００７２】
ステップ８３０で、コンテンツ受信部５３０は、抽出された原本コンテンツの位置情報を利用して、原本コンテンツが保存された保存装置に原本コンテンツの伝送を要請し、前記保存装置から原本コンテンツを受信される。
【００７３】
図９は、本発明の一実施形態によるコンテンツ共有システムで、原本コンテンツが提供される過程を示したフローチャートである。
【００７４】
図９を参照すれば、ネットワークを通じて接近可能な保存装置９２０に原本コンテンツが保存される（ステップ９４１）。また、原本コンテンツは、コンテンツ提供装置９１０に提供される（ステップ９４２）。付加的に、コンテンツ受信装置９３０の情報、例えば、コンテンツ受信装置９３０の保存容量や解像度情報がコンテンツ提供装置９１０に提供される（ステップ９４３）。
【００７５】
コンテンツ提供装置９１０は、コンテンツ受信装置９３０の保存容量や解像度情報を考慮して、コンテンツ受信装置９３０で利用するのに適した形態に原本コンテンツを変更する（ステップ９４４）。例えば、イメージコンテンツの場合、コンテンツ受信装置９３０の保存容量及び解像度を考慮してリサイジングが行われ、ビデオコンテンツの場合、コンテンツ受信装置９３０で再生可能なコーデックを考慮してトランスコーディングが行われる。
【００７６】
コンテンツ提供装置９１０は、原本コンテンツが保存された保存装置の位置情報を含むメタデータを生成する（ステップ９４５）。そして、コンテンツ提供装置９１０は、変更されたコンテンツ及びメタデータを、ネットワークを通じて連結されたコンテンツ受信装置９３０に提供する。
【００７７】
コンテンツ受信装置９３０は、メタデータから、原本コンテンツが保存された保存装置の位置情報を抽出する（ステップ９４７）。そして、コンテンツ受信装置９３０は、保存装置９２０に原本コンテンツの提供を要請する（ステップ９４８）。保存装置９２０は、原本コンテンツ接近が許与されたユーザーＩＤまたはデバイスＩＤと、原本コンテンツを要請したコンテンツ受信装置９３０側のユーザーＩＤまたはデバイスＩＤとを比較して、原本接近権限のあるデバイスからの要請であるかどうかを判断する（ステップ９４９）。正当な接近権限のあるデバイスまたはユーザーならば、保存装置９２０は、原本コンテンツをコンテンツ受信装置９３０に提供する。
【００７８】
このような本発明の一実施形態によれば、コンテンツのメタデータを利用して原本コンテンツへの接近便利性を高めることができる。
【００７９】
図１０は、本発明の他の実施形態によるネットワークを通じるコンテンツ共有システムを示したブロック図である。
【００８０】
図１０を参照すれば、本発明の他の実施形態によるコンテンツ共有システムは、所定のネットワーク１０２０を通じて互いに連結されたコンテンツ提供装置１０１０及びコンテンツ受信装置１０３０を備える。
【００８１】
コンテンツ提供装置１０１０は、コンテンツ保存部１０１１、コンテンツ変更部１０１２、デバイス情報保存部１０１３及び通信部１０１４を備える。
【００８２】
コンテンツ保存部１０１１は、コンテンツ受信装置１０３０に提供されるコンテンツデータを保存する。
【００８３】
通信部１０１４は、コンテンツ受信装置１０３０からデバイスの状態情報を受信し、受信されたデバイスの状態情報はデバイス情報保存部１０１３に保存される。
【００８４】
図１１は、コンテンツ受信装置のデバイス状態情報の一例を示した図面である。
【００８５】
図１１を参照すれば、デバイス状態情報は、コンテンツ受信装置の解像度、保存容量、支援されるオーディオ／ビデオフォーマットなどの機器性能に関連した情報を含む。付加的に図示されたように、ユーザーがあらかじめ設定したユーザー設定情報がデバイス状態情報に含まれうる。例えば、ネットワークを通じて連結されたコンテンツ受信装置のうち、デバイス１の状態情報を説明すれば、デバイス１の解像度は６４０×４８０、保存容量は（残余容量）／（総保存容量）を示すものであって、現在総５００ＧＢの保存容量のうち１２０ＧＢの残余容量があるということを示す。また、デバイス１の場合、ＤｉｖＸ、ＭＰＥＧ−４、ＪＰＥＧのコーデックを支援することを、デバイス状態情報から分かる。また、デバイス１の場合、ユーザーの設定によって受信されるコンテンツの属性が３２０×２４０、ＤｉｖＸコーデックが設定されていることが確認できる。かかるユーザー設定情報は、デバイス状態情報にあらかじめ保存されて伝送されてもよく、コンテンツ受信装置１０３０のユーザーインターフェース１０３３を通じてユーザーによってリアルタイムで設定された情報でもありうる。
【００８６】
再び図１０を参照すれば、コンテンツ変更部１０１２は、デバイス情報保存部１０１３に保存されたデバイスの状態情報を利用して、現在コンテンツを受信しようとするデバイスの性能及びユーザー設定情報を獲得し、これを利用してコンテンツ保存部１０１１に保存されたコンテンツの属性を、コンテンツ受信装置１０３０に好適に変更する。例えば、前述した図１１のデバイス１が現在コンテンツを受信する装置であり、提供されるコンテンツが、８００×６００の解像度を持つＨ．２６４コーデックにエンコーディングされたビデオファイルであると仮定する。このような場合、コンテンツ変更部１０１２は、コンテンツ保存部１０１１に保存されたビデオファイルの解像度を、デバイス１の解像度による６４０×４８０またはユーザー設定による３２０×２４０に変更する一方、デバイス１で支援されないＨ．２６４コーデックを、デバイス１で支援されるＤｉｖＸ、ＭＰＥＧ４コーデックにトランスコーディングするか、またはユーザー設定によるＤｉｖＸコーデックにトランスコーディングすることで、ビデオファイルの属性を変更する。コンテンツ変更部１０１２によって変更されたコンテンツは、通信部１０１４を通じて、ネットワーク１０２０を通じて連結されたコンテンツ受信装置１０３０に伝送される。また、前述した実施形態以外にも、コンテンツ変更部１０１２は、伝送しようとするコンテンツのサイズ及びコンテンツ受信装置１０３０の残余保存空間を考慮して、コンテンツ受信装置１０３０が受信できるように好適なフォーマットにコンテンツをリサイジングして、コンテンツの属性を変更できる。
【００８７】
コンテンツ受信装置１０３０は、通信部１０３１、保存部１０３２、ユーザーインターフェース１０３３及び制御部１０３４を備える。
【００８８】
ユーザーインターフェース１０３３は、コンテンツ提供装置１０１０から提供されるコンテンツのリストなどを表示し、ユーザーが受信しようとするコンテンツ及びコンテンツの属性を選択可能にする入力部に該当する。
【００８９】
通信部１０３１は、ユーザーインターフェース１０３３によって選択されたコンテンツ情報及びコンテンツ受信装置１０３０のデバイス状態情報をコンテンツ提供装置１０１０に伝送する。保存部１０３２は、通信部１０３１を通じてコンテンツ提供装置から受信されたコンテンツを保存し、制御部１０３４はコンテンツ受信装置１０３０の各構成要素を制御する。
【００９０】
図１２Ａないし図１２Ｄは、本発明の一実施形態によって、コンテンツ受信装置のデバイス状態情報によってコンテンツを受信する過程を説明するための参照図である。図１２Ａないし図１２Ｄでは、コンテンツ受信装置として、ネットワーク連結を支援する移動通信端末機１２００を図示している。また、図１２Ａないし図１２Ｄでは、コンテンツとしてビデオコンテンツを受信する過程を例示した。
【００９１】
図１２Ａを参照すれば、ネットワーク連結を支援する移動通信端末機１２００で、Ｗｉ−Ｆｉ、３ＧＳなどのネットワーク網を通じてコンテンツ提供装置に連結されれば、コンテンツ提供装置は、移動通信端末機１２００のディスプレイ部１２１０にコンテンツリスト１２１１ないし１２１４を提供する。所定の入力部１２３０またはタッチ認識を支援する移動通信端末機１２００の場合、所望のコンテンツ領域のタッチを通じて、ユーザーは、コンテンツリスト１２１１ないし１２１４のうち一つのコンテンツを選択する。図１２Ｂを参照すれば、ユーザーによってコンテンツが選択されれば、ディスプレイ部１２１０を通じてコンテンツの受信如何を問い合わせる入力窓１２１５が表示され、ユーザーは、入力部１２３０または選択インターフェース１２１６、１２１７を通じてコンテンツの受信如何を選択する。
【００９２】
図１２Ｃを参照すれば、ユーザーがコンテンツを受信すると選択した場合には、ディスプレイ部１２１０に受信しようとするコンテンツの解像度を選択する入力窓１２２１が表示される。ユーザーは、入力部１２３０または所望の解像度が表示された領域をタッチすることによって、受信するコンテンツの解像度を選択する。
【００９３】
図１２Ｄを参照すれば、ユーザーがコンテンツの解像度を選択した後、ディスプレイ部１２１０に、受信しようとするコンテンツのコーデックを選択する入力窓１２２２が表示される。ユーザーは、入力部１２３０または所望のコーデックが表示された領域をタッチすることによって、受信するコンテンツのコーデックを選択できる。
【００９４】
図１２Ａないし図１２Ｄに例示されたように、コンテンツ受信装置側でユーザーの選択によって決定されたユーザー設定情報は、通信部を通じてコンテンツ提供装置に伝送され、コンテンツ提供装置は、前述したようにユーザー設定情報によってコンテンツの属性を変更して、コンテンツ受信装置に変更されたコンテンツを提供できる。またコンテンツ提供装置は、別途のユーザー設定がないか、またはユーザーが自動的にコンテンツ伝送を選択した場合に、コンテンツ受信装置の性能に好適にコンテンツの属性を変更し、変更されたコンテンツを提供できる。
【００９５】
図１３は、本発明の他の実施形態によるコンテンツ提供方法を示したフローチャートである。
【００９６】
図１３を参照すれば、ステップ１３１０で、コンテンツ提供装置１０１０は、コンテンツ受信装置１０３０のデバイス状態情報を獲得する。前述したように、デバイス状態情報は、コンテンツ受信装置１０３０で利用可能な解像度、残余容量、支援コーデックなどのデバイス性能に関する情報、及びユーザーによって設定されたコンテンツの解像度やコーデックなどの情報が含まれうる。
【００９７】
ステップ１３２０で、コンテンツ提供装置１０１０は、コンテンツ受信装置１０３０のデバイスの状態情報を利用して、コンテンツ受信装置１０３０に提供されるコンテンツの属性を変更する。
【００９８】
ステップ１３３０で、コンテンツ提供装置１０１０は、変更されたコンテンツをネットワークを通じてコンテンツ受信装置１０３０に提供する。
【００９９】
図１４は、本発明の他の実施形態によるコンテンツ受信方法を示したフローチャートである。
【０１００】
図１４を参照すれば、ステップ１４１０で、コンテンツ受信装置１０３０のユーザーインターフェース１０３３を通じて、コンテンツ提供装置１０１０で提供されるコンテンツのうち、受信しようとするコンテンツが選択される。
ステップ１４２０で、コンテンツ受信装置１０３０は、デバイス状態情報をコンテンツ提供装置１０２０に伝送する。
【０１０１】
ステップ１４３０で、コンテンツ提供装置１０１０は、受信されたデバイス状態情報を利用してコンテンツ受信装置１０３０に好適にコンテンツの属性を変更し、変更されたコンテンツを伝送すれば、コンテンツ受信装置１０３０は変更されたコンテンツを受信する。
【０１０２】
本発明の他の実施形態によれば、コンテンツ受信装置の性能またはユーザーの設定事項に適したコンテンツを提供することでコンテンツの互換性を向上させることができ、またユーザーのコンテンツ利用便利性を高めることができる。
【０１０３】
以下、本発明の実施形態によるバックアップ装置について具体的に説明する。以下の説明で保存装置とは、ハードディスク、メモリ、ＣＤ、ＤＶＤ、ブルーレイ、ＨＤ−ＤＶＤ、ホログラム記録媒体などの純粋な保存機能を持つデバイス以外に、パソコン、ノート型パソコン、ネットブック、カムコーダ、移動通信端末機、ＨＭＳ（Ｈｏｍｅ Ｍｅｄｉａ Ｓｅｒｖｅｒ）、ＰＶＲ（Ｐｅｒｓｏｎａｌ Ｖｉｄｅｏ Ｒｅｃｏｒｄｉｎｇ）のような、ネットワークを通じて連結された他の装置から伝送されたデータを保存できる機能を持つあらゆるデバイスを総称するものと定義する。
【０１０４】
図１５は、本発明の一実施形態によるネットワークを通じるデータバックアップシステムを概括的に示した参照図である。
【０１０５】
図１５を参照すれば、本発明の一実施形態によるデータバックアップシステム１５００は、所定のネットワーク１５４０を通じて互いに連結されたデータ提供装置１５１０、第１保存装置１５２０及び第２保存装置１５３０を備える。図示されていないが、データバックアップシステム１５００は、第１保存装置１５２０及び第２保存装置１５３０以外に他の複数の保存装置を備えることができる。
【０１０６】
データ提供装置１５１０は、有無線形態の多様なネットワーク１５４０を支援するＰＭＰ（Ｐｏｒｔａｂｌｅ Ｍｕｌｔｉｍｅｄｉａ Ｐｌａｙｅｒ）、ＵＭパソコン（Ｕｌｔｒａ Ｍｏｂｉｌｅ Ｐｅｒｓｏｎａｌ Ｃｏｍｐｕｔｅｒ）、ネットブック、ノート型パソコン、携帯電話、デジタルカメラ、ＰＶＲ、ＨＭＳ及びパソコンなどの多様なデバイスになりうる。また、データ提供装置１５１０、第１保存装置１５２０及び第２保存装置１５３０は、ホームゲートウェイまたはホームサーバのような制御装置に連結されたホームネットワークシステムを構成するクライアントデバイスのうち一つでありうる。例えば、データ提供装置１５１０、第１保存装置１５２０及び第２保存装置１５３０は、家庭内の情報家電機器を制御するための標準案であるＤＬＮＡ（Ｄｉｇｉｔａｌ Ｌｉｖｉｎｇ Ｎｅｔｗｏｒｋ Ａｌｌｉａｎｃｅ）によるネットワーク１５４０を通じて、互いに連結されてデータを共有するデバイスでありうる。
【０１０７】
ネットワーク１５４０は、近距離ネットワーク、長距離ネットワークをいずれも含み、ブルートゥース、ワイファイ、ワイブロ及び超広域などの無線インターネット方式、及びＩＥＥＥ １３９４、イーサネット（登録商標）などの有線インターネット方式などを含む。
【０１０８】
第１保存装置１５２０及び第２保存装置１５３０は、データ提供装置１５１０から提供されるデータを保存する装置であって、前述したように、ハードディスク、メモリ、ＮＡＳ（Ｎｅｔｗｏｒｋ Ａｔｔａｃｈｅｄ Ｓｔｏｒａｇｅ）などの保存機能を持つデバイス以外に、パソコン、ノート型パソコン、ネットブック、カムコーダ、移動通信端末機、ＨＭＳ、ＰＶＲのような、ネットワークを通じて連結された他の装置から伝送されたデータを保存できる付加機能を持つあらゆるデバイスでありうる。
【０１０９】
データ提供装置１５１０は、ネットワーク１５４０を通じて、データバックアップのために保存されたデータを保存装置１５２０、１５３０に伝送する。ネットワーク１５４０を通じて連結された保存装置１５２０、１５３０のうちいかなる保存装置にデータをバックアップするかは、データ提供装置１５１０によって選択されてもよく、データ提供装置１５１０で別途に保存しようとする保存装置を選択しなくても、ネットワーク１５４０の管理サーバで保存装置１５２０、１５３０の利用可能性如何を判断して、データを保存する保存装置を選択させてもよい。以下の説明では、第１保存装置１５２０へのデータバックアップ試み時に、第１保存装置１５２０が利用不可能な場合を中心に説明する。
【０１１０】
本発明の一実施形態によるデータバックアップシステム１５００は、第１保存装置１５２０の利用が不可能な場合、例えば、第１保存装置の残余保存容量が保存しようとするデータより足りない場合のように、データ提供装置１５１０から伝送されたデータを第１保存装置１５２０に保存できない場合、ネットワーク１５４０を通じて連結された他の第２保存装置１５３０にデータを保存し、第１保存装置１５２０に保存されたデータの削除などによって今後に第１保存装置１５２０が利用可能になった場合、第２保存装置１５３０に保存されたデータを第１保存装置１５２０に再伝送して保存することを特徴とする。
【０１１１】
このようなデータバックアップ過程は、データ提供装置１５１０、ネットワーク１５４０の管理サーバ、第１保存装置１５２０及び第２保存装置１５３０それぞれによって制御されうる。以下では、データバックアップシステム１５００を構成する各装置によって制御されるデータバックアップ過程の実施形態について具体的に説明する。
【０１１２】
図１６は、本発明の一実施形態によるデータバックアップシステム２００の構成を示した図面である。図１６では、ネットワークのサーバ１６２０によってデータバックアップ過程が制御される時のサーバ２００のブロック図を図示した。また、図１６では、データ提供装置１６１０として移動通信端末機、保存装置１６３０ないし１６５０としてＴＶ、パソコン、ＰＶＲが利用される場合を図示した。
【０１１３】
図１６を参照すれば、サーバ１６２０は、通信部１６２１、バッファ１６２２及びバックアップ制御部１６２３を備える。通信部１６２１は、ネットワークを通じて連結されたデータ提供装置１６１０から提供されるバックアップデータを受信する。受信されたバックアップデータは、バッファ１６２２に臨時で保存されうる。バックアップ制御部１６２３は、ネットワークを通じて連結された保存装置１６３０ないし１６５０の利用如何を判断する。保存装置１６３０ないし１６５０の利用如何は、保存装置１６３０ないし１６５０からあらかじめ通知されるか、またはデータ提供装置１６１０でデータバックアップ要請がある場合、バックアップ制御部１６２３で通信部１６２１を通じて保存装置１６３０ないし１６５０の利用如何についての情報を要請して受信するように制御することによって判断されうる。
【０１１４】
サーバ１６２０のバックアップ制御部１６２３は、保存装置１６３０ないし１６５０の利用如何に基づいてバックアップデータを伝送する保存装置を選択する。
【０１１５】
もし、第１保存装置１６５０が中央保存装置であって、ネットワークを通じて伝送されるバックアップデータが保存されねばならないが、第１保存装置１６５０の容量不足により第１保存装置１６５０にバックアップデータを保存できない場合を仮定する。この場合、バックアップ制御部１６２３は、ネットワークを通じて利用可能な他の第２保存装置１６４０及び第３保存装置１６５０のうち一つを選択し、選択された保存装置にバッファ１６２２に保存されたバックアップデータを伝送するように、バッファ１６２２及び通信部１６２１を制御する。また、バックアップ制御部１６２３は、利用可能な複数の保存装置のうち一つを選択してバックアップデータを伝送するように制御する代わりに、利用可能な複数の保存装置の保存可能な残余容量に基づいてバックアップデータを分割し、分割されたバックアップデータを利用可能な複数の保存装置に分散保存させることができる。前述した例で、第２保存装置１６４０の残余容量が２０ＧＢ、第３保存装置１６５０の残余容量が４０ＧＢであり、バックアップデータのサイズが６０ＧＢであるといえば、バックアップ制御部１６２３は、６０ＧＢのバックアップデータを２０ＧＢ及び４０ＧＢに分割し、分割されたデータ単位を、第２保存装置１６４０及び第３保存装置１６３０に分散保存されるように制御できる。
【０１１６】
バックアップデータの保存が完了した後、バックアップ制御部１６２３は、第１保存装置１６５０との周期的な通信を通じて、第１保存装置１６５０のバックアップデータ保存が可能であるかどうかを周期的に確認する。今後、保存データの削除などによって第１保存装置１６５０の保存容量が確保された場合、バックアップ制御部１６２３は、バックアップデータが保存された第２保存装置１６４０または第３保存装置１６３０から、バックアップデータが第１保存装置１６５０に再伝送されて保存されるように制御する。第１保存装置１６５０に再伝送されて保存が完了すれば、第１保存装置１６５０の代わりに第２保存装置１６４０または第３保存装置１６３０に保存されたバックアップデータは削除されうる。
【０１１７】
図１７は、本発明の一実施形態によるデータバックアップシステムのネットワークサーバによってデータバックアップが行われる過程を示したフローチャートである。
【０１１８】
図１７を参照すれば、ステップ１７５０で、データ提供装置１７１０からサーバ１７２０にバックアップデータが提供される。サーバ１７２０は、ネットワークを通じて連結された第１保存装置１７３０及び第２保存装置１７４０に保存可能か否かの確認を要請するか、または図示されたステップ１７５１及び１７５３のように、第１保存装置１７３０の保存不可能を予めサーバ１７２０に通知するか、または第２保存装置１７４０の保存可能さ予めサーバ１７２０に通知する。
【０１１９】
ステップ１７５３で、サーバ１７２０は、保存装置１７３０の保存可能性に基づいてバックアップデータを保存する保存装置を選択する。図示された例では、第１保存装置１７３０にバックアップデータを保存できず、第２保存装置１７４０にバックアップデータを保存できる場合を仮定したことである。
【０１２０】
ステップ１７５４で、サーバ１７２０は、利用可能な第２保存装置１７４０にバックアップデータを伝送し、ステップ１７５５で、第２保存装置１７４０は伝送されたバックアップデータを保存する。
【０１２１】
第２保存装置１７４０へのバックアップデータの保存が完了した後、ステップ１７５６で、サーバ１７２０は、周期的に第１保存装置１７３０の保存可能か否かの確認を要請し、ステップ１７５７で、第１保存装置１７３０が保存データの削除などで容量が確保されてバックアップデータの保存が可能になった場合、保存可能事実をサーバ１７２０に通知する。
【０１２２】
第１保存装置１７３０が利用可能になった場合、ステップ１７５８で、サーバ１７２０は第２保存装置１７４０に、バックアップデータを第１保存装置１７３０に再伝送するように要請し、ステップ１７５９で、第２保存装置１７４０は第１保存装置１７３０にバックアップデータを再伝送する。ステップ１７６０で、第１保存装置１７３０は再伝送されたバックアップデータを保存し、ステップ１７６１で、第２保存装置１７４０は再伝送されたバックアップデータを削除する。
【０１２３】
図１８は、本発明の他の実施形態によるデータバックアップシステムの構成を示した図面である。図１８では、データ提供装置１８００によってデータバックアップ過程が制御される時の、データ提供装置１８００のブロック図を図示した。
【０１２４】
図１８を参照すれば、データ提供装置１８００は、通信部１８１０、保存部１８２０及び制御部１８３０を備える。通信部１８１０は、ネットワーク１８４０を通じて、保存部１８２０に保存されたバックアップしようとするデータを他の保存装置１８５０ないし１８７０に伝送する。制御部１８３０は、ネットワークを通じて連結された保存装置１８５０ないし１８７０の利用如何を判断する。保存装置１８５０ないし１８７０の利用如何は、保存装置１８５０ないし１８７０からあらかじめ通知されるか、またはデータ提供装置１８００の制御部１８３０で、通信部１８１０を通じて保存装置１８５０ないし１８７０の利用如何についての情報を要請して受信するように制御することによって判断されうる。
【０１２５】
データ提供装置１８００の制御部１８３０は、保存装置１８５０ないし１８７０の利用如何に基づいてバックアップデータを伝送する保存装置を選択する。
【０１２６】
前述したように、第１保存装置１８７０が中央保存装置であって、ネットワークを通じて伝送されるバックアップデータを保存せねばならないが、第１保存装置１８７０の容量不足により第１保存装置１８７０にバックアップデータを保存できない場合を仮定する。この場合、前述した本発明の一実施形態と類似して、制御部１８３０は、ネットワーク１８４０を通じて利用可能な他の第２保存装置１８６０及び第３保存装置１８７０のうち一つを選択し、選択された保存装置に、保存部１８２０に保存されたバックアップデータを伝送するように保存部１８２０及び通信部１８１０を制御する。また、制御部１８３０は、利用可能な複数の保存装置のうち一つを選択してバックアップデータを伝送するように制御する代わりに、利用可能な複数の保存装置の保存可能な残余容量に基づいてバックアップデータを分割し、分割されたバックアップデータを利用可能な複数の保存装置に分散保存させることができる。
【０１２７】
バックアップデータの保存が完了した後、制御部１８３０は、第１保存装置１８７０との周期的な通信を通じて、第１保存装置１８７０のバックアップデータ保存が可能であるかどうかを周期的に確認する。今後、保存データの削除などによって第１保存装置１８７０の保存容量が確保された場合、制御部１８３０は、バックアップデータが保存された第２保存装置１８６０または第３保存装置１８５０から、バックアップデータが第１保存装置１８７０に再伝送されて保存されるように制御する。第１保存装置１８７０に再伝送されて保存が完了すれば、第１保存装置１８７０の代わりに、第２保存装置１８６０または第３保存装置１８５０に保存されたバックアップデータは削除されうる。
【０１２８】
図１９は、本発明の他の実施形態によるデータバックアップシステムのデータ提供装置によってデータバックアップが行われる過程を示したフローチャートである。
【０１２９】
図１９を参照すれば、ステップ１９４１で、データ提供装置１９１０は、第１保存装置１９２０にバックアップデータ保存要請をする。ステップ１９４２で、第１保存装置１９２０は、バックアップデータのサイズと保存可能な残余容量とを比較して保存可能か否かを確認する。ステップ１９４３で、残余容量の不足などによって保存が不可能な場合、第１保存装置１９２０は、データ提供装置１９１０に保存不可能を通知する。ステップ１９４４で、データ提供装置１９１０は、ネットワークを通じて連結された他の第２保存装置１９３０にバックアップデータの保存要請をする。ステップ１９４５で、第２保存装置１９３０は、バックアップデータのサイズと保存可能な残余容量とを比較して保存可能か否かを確認する。ステップ１９４６で、第２保存装置１９３０は、バックアップデータの保存が可能な場合に保存可能事実をデータ提供装置１９１０に通知する。ステップ１９４７で、データ提供装置１９１０は、バックアップデータを第２保存装置１９３０に伝送し、ステップ１９４８で、第２保存装置１９３０は、伝送されたバックアップデータを保存する。
【０１３０】
第２保存装置１９３０へのバックアップデータの保存が完了した後にも、ステップ１９４９で、データ提供装置１９１０は、周期的に第１保存装置１９２０の保存可能か否かの確認を要請し、ステップ１９５０で、第１保存装置１９２０が保存データ削除などによって容量が確保されてバックアップデータの保存が可能になった場合、その保存可能事実をデータ提供装置１９１０に通知する。
【０１３１】
第１保存装置１９２０が利用可能になった場合、ステップ１９５１で、データ提供装置１９１０は、第２保存装置１９３０にバックアップデータを第１保存装置１９２０に再伝送するように要請し、ステップ１９５２で、第２保存装置１９３０は、第１保存装置１９２０にバックアップデータを再伝送する。ステップ１９５３で、第１保存装置１９２０は、再伝送されたバックアップデータを保存し、ステップ１９５４で、第２保存装置１９３０は、再伝送されたバックアップデータを削除する。
【０１３２】
図２０は、本発明のさらに他の実施形態によるデータバックアップシステムの構成を示した図面である。図２０では、保存装置２０３０、２０４０のうちいずれか一つによってデータバックアップ過程が制御される時の、保存装置２０３０、２０４０のブロック図を図示した。
【０１３３】
図２０を参照すれば、第１保存装置２０３０は、第１通信部２０３１、第１保存部２０３２及び第１制御部２０３３を備える。第２保存装置２０４０は、第２通信部２０４１、第２保存部２０４２及び第２制御部２０４３を備える。以下では、第１保存装置２０３０へのデータバックアップが不可能であり、第２保存装置２０４０へのデータバックアップが可能な場合を仮定して、本発明のさらに他の実施形態について具体的に説明する。
【０１３４】
第１通信部２０３１は、ネットワーク２０２０を通じてデータ提供装置２０１０及び第２保存装置２０４０と通信を行う。もし、データ提供装置２０１０からデータバックアップ要請がある場合、第１制御部２０３３は、第１保存部２０３２の保存可能な残余容量と要請されたバックアップデータのサイズとを比較して、保存可能か否かを、第１通信部２０３１を通じてデータ提供装置２０１０に通知するように制御する。前述した仮定のように、第１保存部２０３２の容量不足によりバックアップデータの保存が不可能な場合、保存不可をデータ提供装置２０１０に通知する。
【０１３５】
第１保存装置２０３０へのバックアップデータ保存が不可能な場合、データ提供装置２０１０は、第２保存装置２０４０にバックアップデータ保存要請をする。第２保存装置２０４０の第２制御部２０４３は、第２保存部２０４２の保存可能な残余容量と要請されたバックアップデータのサイズとを比較して、保存可能か否かを、第２通信部２０４１を通じてデータ提供装置２０１０に通知するように制御する。前述した仮定のように、第２保存部２０４２は、バックアップデータの保存が可能な余裕容量を持っているので、保存可能事実がデータ提供装置２０１０に通知される。保存可能事実を通知されたデータ提供装置２０１０は、バックアップデータを第２通信部２０４１に伝送する。
【０１３６】
第２通信部２０４１を通じて伝送されたバックアップデータは、第２保存部２０４２に保存される。バックアップデータの保存が完了した後、第２制御部２０４３は、第１保存装置２０３０との周期的な通信を通じて、第１保存装置２０３０のバックアップデータ保存が可能かどうかを周期的に確認する。今後、保存データの削除などによって第１保存装置２０３０の保存容量が確保された場合、第２制御部２０４３は、第２保存部２０４２に保存されたバックアップデータが第１保存装置２０３０に再伝送されて保存されるように制御する。第１保存装置２０３０に再伝送されて保存が完了すれば、第２制御部２０４３は、第２保存部２０４２に保存されたバックアップデータを削除する。本発明のさらに他の実施形態のように、第２保存装置２０４０に保存されたバックアップデータが第１保存装置２０３０に再伝送されて保存された場合、第１保存装置２０３０の第１制御部２０３３または第２保存装置２０４０の第２制御部２０４３は、データ提供装置２０１０に再伝送事実を通知するように通信部を制御することによって、データ提供装置２０１０でバックアップデータの保存位置を確認可能にすることが望ましい。また、第１保存装置２０３０の第１制御部２０３３または第２保存装置２０４０の第２制御部２０４３は、各保存装置に保存されたデータのリストを、ネットワークを通じて連結された他の装置に提供することによって、同じデータがネットワーク上の相異なる保存装置に重複保存されることを防止することが望ましい。
【０１３７】
図２１は、本発明のさらに他の実施形態によるデータバックアップシステムの保存装置によってデータバックアップが行われる過程を示したフローチャートである。
【０１３８】
図２１を参照すれば、ステップ２１４１で、データ提供装置２１１０は、第１保存装置２１２０にバックアップデータ保存要請をする。ステップ２１４２で、第１保存装置２１２０は、バックアップデータのサイズと保存可能な残余容量とを比較して保存可能か否かを確認する。ステップ２１４３で、残余容量の不足などで保存が不可能な場合、第１保存装置２１２０は、データ提供装置２１１０に保存不可能を通知する。ステップ２１４４で、データ提供装置２１１０は、ネットワークを通じて連結された他の第２保存装置２１３０にバックアップデータの保存要請をする。ステップ２１４５で、第２保存装置２１３０は、バックアップデータのサイズと保存可能な残余容量とを比較して保存可能か否かを確認する。ステップ２１４６で、第２保存装置２１３０は、バックアップデータの保存が可能な場合、保存可能事実をデータ提供装置２１１０に通知する。ステップ２１４７で、データ提供装置２１１０は、バックアップデータを第２保存装置２１３０に伝送し、ステップ２１４８で、第２保存装置２１３０は伝送されたバックアップデータを保存する。
【０１３９】
第２保存装置２１３０へのバックアップデータの保存が完了した後にも、ステップ２１４９で、第２保存装置２１３０は、周期的に第１保存装置２１２０の保存可能か否かの確認を要請し、ステップ２１５０で、第１保存装置２１２０が、保存データ削除などによって容量が確保されてバックアップデータの保存が可能になった場合、その保存可能事実を第２保存装置２１３０に通知する。
【０１４０】
第１保存装置２１２０が利用可能になった場合、ステップ２１５１で、第２保存装置２１３０は、バックアップデータを第１保存装置２１２０に再伝送する。ステップ２１５３で、第１保存装置２１２０は、再伝送されたバックアップデータを保存し、ステップ２１５４で、第２保存装置２１３０は、再伝送されたバックアップデータを削除する。
【０１４１】
図２２は、本発明の他の実施形態によるデータ提供装置の構成を示したブロック図である。
【０１４２】
図２２を参照すれば、本発明の他の実施形態によるデータ提供装置２２００は、通信部２２１０、保存部２２２０、データ変換部２２３０及び制御部２２４０を備える。通信部２２１０は、ネットワーク２２５０を通じて保存部２２２０に保存された、バックアップしようとするデータを他の保存装置２２６０ないし２２８０に伝送する。本発明の他の実施形態によるデータ提供装置２２００が、ネットワーク２２５０を通じて連結された保存装置２２６０ないし２２８０にデータをバックアップする過程は、前述した図１８及び図１９の本発明の一実施形態によるデータ提供装置によって行われるデータバックアップ過程と類似しているので、具体的な説明は省略する。ただし、図２２に図示された本発明の他の実施形態によるデータ提供装置２２００は、ネットワーク２２５０を通じて連結された保存装置２２６０ないし２２８０のうち一つまたは複数に分散されて、バックアップデータの保存が完了した時、データ変換部２２３０がバックアップデータの保存位置に対するメタデータを生成する一方、保存部８２０に保存された原本データを圧縮変換して保存部８２０に保存させる。例えば、データ提供装置２２００がデジタルカメラであると仮定すれば、データ提供装置２２００によって撮影された原本映像データのバックアップデータが保存装置２２６０ないし２２８０のうち一つまたは複数に分散されて保存が完了すれば、データ変換部２２３０は、原本映像データをサムネイルイメージに変換し、各サムネイルイメージを保存部２２２０に保存して原本映像データは削除する。また、データ変換部２２３０は、原本映像データが保存された保存装置のＵＲＬのような位置情報をメタデータとして生成して、サムネイルイメージと共に保存する。次いで、原本映像データが必要な場合、保存部２２２０に保存されたサムネイルイメージと、メタデータの原本映像データの位置情報とを利用して、原本映像データがバックアップされている保存装置から獲得できる。データ変換部２２３０は、前述したサムネイル形態に保存データを変換する以外に、多様な形態で原本データを圧縮変換することによって保存部２２２０の保存空間の効率的な利用を可能にする。
【０１４３】
一方、前述した本発明の実施形態は、コンピュータで実行されるプログラムで作成でき、コンピュータで読み取り可能な記録媒体を利用して、前記プログラムを動作させる汎用ディジタルコンピュータで具現されうる。前記コンピュータで読み取り可能な記録媒体は、マグネチック記録媒体（例えば、ＲＯＭ、フロッピー（登録商標）ディスク、ハードディスクなど）、光学的判読媒体（例えば、ＣＤ−ＲＯＭ、ＤＶＤなど）などの記録媒体を含む。
【０１４４】
これまで本発明についてその望ましい実施形態を中心に説明した。当業者は本発明が本発明の本質的な特性から逸脱しない範囲で変形された形態で具現されるということを理解できるであろう。したがって、開示された実施形態は、限定的な観点ではなく説明的な観点で考慮されねばならない。本発明の範囲は前述した説明ではなく特許請求の範囲に示されており、それと同等な範囲内にあるあらゆる差異点は本発明に含まれていると解釈されねばならない。
【産業上の利用可能性】
【０１４５】
本発明は、コンテンツ提供方法及び装置、コンテンツ受信方法及び装置及びデータバックアップ方法及び装置、バックアップデータ提供装置及びバックアップシステム関連の技術分野に好適に用いられる。
【符号の説明】
【０１４６】
２１０ コンテンツ提供装置
２１１ 原本コンテンツ変更部
２１２ メタデータ生成部
２１３ コンテンツ提供部
【図１】
0005969569.tif 000002
【図２】
0005969569.tif 000003
【図３】
0005969569.tif 000004
【図４】
0005969569.tif 000005
【図５】
0005969569.tif 000006
【図６Ａ】
0005969569.tif 000007
【図６Ｂ】
0005969569.tif 000008
【図７】
0005969569.tif 000009
【図８】
0005969569.tif 000010
【図９】
0005969569.tif 000011
【図１０】
0005969569.tif 000012
【図１１】
0005969569.tif 000013
【図１２Ａ】
0005969569.tif 000014
【図１２Ｂ】
0005969569.tif 000015
【図１２Ｃ】
0005969569.tif 000016
【図１２Ｄ】
0005969569.tif 000017
【図１３】
0005969569.tif 000018
【図１４】
0005969569.tif 000019
【図１５】
0005969569.tif 000020
【図１６】
0005969569.tif 000021
【図１７】
0005969569.tif 000022
【図１８】
0005969569.tif 000023
【図１９】
0005969569.tif 000024
【図２０】
0005969569.tif 000025
【図２１】
0005969569.tif 000026
【図２２】
0005969569.tif 000027